(57)【特許請求の範囲】
【請求項１】
シートクッションおよびシートバックを備え、前記シートバックが、当該シートバックのフレームを構成するシートバックフレームと、当該シートバックフレームを覆うシートバックパッドとを有する乗物用シートであって、
前記シートバックパッドは、乗員の上体背部に対面する中央部と、当該中央部の左右両側に設けられて前記中央部よりも前に張り出した左右の側部とを有し、
前記シートバックは、前記左右の側部のうち、乗員の腕の付け根の下の部位に対面する部分が、乗員の他の部位に対面する部分よりも乗員に向けて膨出するように構成され、
前記シートバック内に設けられ、前記側部のうちの乗員の腕の付け根の下の部位に対面する部分を膨出させる乗員支持部材を備え、
前記乗員支持部材は、
一方の端部が他方の端部に対して近接または離間する方向に移動可能に支持されて曲がり具合が変わる可動部材と、
前記可動部材と前記側部との間に配置され、前記可動部材に押されることで前記側部を膨出させる支持部材とを有することを特徴とする乗物用シート。
【請求項２】
前記可動部材の一方の端部を他方の端部に対して近接または離間する方向に移動可能にガイドするガイド部を備えたことを特徴とする請求項１に記載の乗物用シート。
【請求項３】
前記支持部材は、左右方向における一方の端部が自由端となっていることを特徴とする請求項１または請求項２に記載の乗物用シート。
【請求項４】
シートクッションおよびシートバックを備え、前記シートバックが、当該シートバックのフレームを構成するシートバックフレームと、当該シートバックフレームを覆うシートバックパッドとを有する乗物用シートであって、
前記シートバックパッドは、乗員の上体背部に対面する中央部と、当該中央部の左右両側に設けられて前記中央部よりも前に張り出した左右の側部とを有し、
前記シートバックは、前記左右の側部のうち、乗員の腕の付け根の下の部位に対面する部分が、乗員の他の部位に対面する部分よりも乗員に向けて膨出するように構成され、
前記シートバック内に設けられ、前記側部のうちの乗員の腕の付け根の下の部位に対面する部分を膨出させる乗員支持部材を備え、
前記乗員支持部材は、
板状であり、湾曲量を変更することで前記側部の膨出量を変更可能に構成され、湾曲したときの乗員に向けて膨出する頂部が上下方向に沿って延び、
左右方向に延びる板状の支持部と、前記支持部の乗員と対向する面とは反対側の面の左右方向における途中部分から延出する延出部とを有する二又状に形成され、
前記支持部の左右方向における外側端部が固定され、前記延出部の端部が前記外側端部に対して近接または離間する方向に移動可能に支持され、前記支持部の左右方向における内側端部が自由端となっていることを特徴とする乗物用シート。
【請求項５】
シートクッションおよびシートバックを備え、前記シートバックが、当該シートバックのフレームを構成するシートバックフレームと、当該シートバックフレームを覆うシートバックパッドとを有する乗物用シートであって、
前記シートバックパッドは、乗員の上体背部に対面する中央部と、当該中央部の左右両側に設けられて前記中央部よりも前に張り出した左右の側部とを有し、
前記シートバックは、前記左右の側部のうち、乗員の腕の付け根の下の部位に対面する部分が、乗員の他の部位に対面する部分よりも乗員に向けて膨出するように構成され、
前記シートバック内に設けられ、前記側部のうちの乗員の腕の付け根の下の部位に対面する部分を膨出させる乗員支持部材を備え、
前記乗員支持部材は、板状であり、左右方向における外側端部が固定され、左右方向における内側端部が前記外側端部に対して近接または離間する方向に移動可能に支持されて湾曲量を変更することで前記側部の膨出量を変更可能に構成され、湾曲したときの乗員に向けて膨出する頂部が上下方向に沿って延び、
前記シートバックフレームは、左右方向において対向し、下部が上部よりも前方に向けて張り出す張出部を有する左右のサイドフレームと、前記サイドフレームの上部と前記張出部とをつなぐように取り付けられた連結ワイヤとを有し、
前記乗員支持部材は、前記外側端部が前記連結ワイヤに固定されたことを特徴とする乗物用シート。
【請求項６】
シートクッションおよびシートバックを備え、前記シートバックが、当該シートバックのフレームを構成するシートバックフレームと、当該シートバックフレームを覆うシートバックパッドとを有する乗物用シートであって、
前記シートバックパッドは、乗員の上体背部に対面する中央部と、当該中央部の左右両側に設けられて前記中央部よりも前に張り出した左右の側部とを有し、
前記シートバックは、前記左右の側部のうち、乗員の腕の付け根の下の部位に対面する部分が、乗員の他の部位に対面する部分よりも乗員に向けて膨出するように構成され、
本体部を有し、当該本体部の一方の端部が他方の端部に対して近接または離間する方向に移動可能に支持されて前記本体部の湾曲量を変更することで前記側部の膨出量を変更する乗員支持部材と、
インナーケーブルと、当該インナーケーブルが摺動可能に挿通されるアウターケーブルとを有し、前記インナーケーブルが前記アウターケーブルに対して摺動することで前記本体部を動作させるケーブルとを備え、
前記乗員支持部材は、前記本体部の一方の端部に設けられて前記アウターケーブルの一端部が固定されるアウターケーブル固定部と、前記本体部の他方の端部に設けられて前記インナーケーブルの一端部が固定されるインナーケーブル固定部とを有し、
前記アウターケーブル固定部および前記インナーケーブル固定部は、前記本体部の乗員と対向する面とは反対側の面に設けられていることを特徴とする乗物用シート。
【請求項７】
シートクッションおよびシートバックを備え、前記シートバックが、当該シートバックのフレームを構成するシートバックフレームと、当該シートバックフレームを覆うシートバックパッドとを有する乗物用シートであって、
前記シートバックパッドは、乗員の上体背部に対面する中央部と、当該中央部の左右両側に設けられて前記中央部よりも前に張り出した左右の側部とを有し、
前記シートバックは、前記左右の側部のうち、乗員の腕の付け根の下の部位に対面する部分が、乗員の他の部位に対面する部分よりも乗員に向けて膨出するように構成され、
一方の端部が他方の端部に対して近接または離間する方向に移動可能に支持されて湾曲量を変更することで前記側部の膨出量を変更する乗員支持部材と、
前記シートバックフレームに固定されたロッド状部材とを備え、
前記乗員支持部材は、前記一方の端部に貫通穴を有し、当該貫通穴が前記ロッド状部材に挿通されていることで、前記一方の端部が前記ロッド状部材に沿って移動可能に支持されていることを特徴とする乗物用シート。
【請求項８】
前記乗員支持部材の乗員に向けて膨出する頂部は、前記シートバックフレームの左右のサイドフレームの左右方向内側に配置されたことを特徴とする請求項４から請求項７のいずれか１項に記載の乗物用シート。
【請求項９】
前記乗員支持部材は、板状であり、湾曲量を変更することで前記膨出量を変更可能に構成され、湾曲したときの乗員に向けて膨出する頂部が上下方向に沿って延びることを特徴とする請求項６または請求項７に記載の乗物用シート。
【請求項１０】
前記乗員支持部材は、左右方向における外側端部が固定され、左右方向における内側端部が前記外側端部に対して近接または離間する方向に移動可能に支持されたことを特徴とする請求項４または請求項９に記載の乗物用シート。
【請求項１１】
乗員を側方から保護するエアバッグ装置と、前記側部の膨出量を変更するために前記乗員支持部材を変形または移動させる駆動装置とを備え、
前記エアバッグ装置は、前記シートバックフレームの左右のサイドフレームの一方に取り付けられ、前記駆動装置は、前記左右のサイドフレームの他方に取り付けられたことを特徴とする請求項１から請求項１０のいずれか１項に記載の乗物用シート。
【請求項１２】
前記シートバックパッドには、前記中央部と前記左右の側部との間の上下方向において前記乗員支持部材と対応する位置に貫通したスロット孔が設けられていることを特徴とする請求項１から請求項１１のいずれか１項に記載の乗物用シート。
【請求項１３】
前記シートバックフレームは、左右のサイドフレームの間に設けられて乗員の上体を支持する支持ワイヤを備え、
前記支持ワイヤは、上または下に向けて凸となるように屈曲する屈曲部を有し、
前記乗員支持部材は、前記屈曲部のうち凹み状となる部分に対向して配置されたことを特徴とする請求項１から請求項１２のいずれか１項に記載の乗物用シート。
【発明の詳細な説明】
【技術分野】
【０００１】
本発明は、シートクッションおよびシートバックを備えた乗物用シートに関する。
【背景技術】
【０００２】
従来より、シート本体の両側部に、着座者をその両側部から挟んで保持可能とするサイドサポート部が設けられた自動車用シートが知られている（特許文献１参照）。
【先行技術文献】
【特許文献】
【０００３】
【特許文献１】特開昭６１−１０９５０８号公報
【発明の概要】
【発明が解決しようとする課題】
【０００４】
ところで、従来のサイドサポート装置は、乗員の肩や上腕を両側から挟んで支持するため、コーナリングのときに肩や上腕が左右一方のサポート部に押しつけられ、操舵が行いにくくなることがあった。また、乗員の体型によっては、コーナリングのときに肩や上腕がサポート部からずれて姿勢が安定しないことがあった。
【０００５】
本発明は、以上の背景に鑑みてなされたものであり、コーナリング時の操舵性や姿勢の安定性を向上させることができる乗物用シートを提供することを目的とする。
【課題を解決するための手段】
【０００６】
前記した目的を達成するため、本発明の乗物用シートは、シートクッションおよびシートバックを備え、前記シートバックが、当該シートバックのフレームを構成するシートバックフレームと、当該シートバックフレームを覆うシートバックパッドとを有する乗物用シートであって、前記シートバックパッドは、乗員の上体背部に対面する中央部と、当該中央部の左右両側に設けられて前記中央部よりも前に張り出した左右の側部とを有し、前記シートバックは、前記左右の側部のうち、乗員の腕の付け根の下の部位に対面する部分が、乗員の他の部位に対面する部分よりも乗員に向けて膨出していることを特徴とする。
【０００７】
このような構成によれば、シートバックの左右の側部の膨出部分により乗員の腕の付け根の下の部位を左右から挟んで支持することで、乗員の肩や上腕を自由にすることができるため、コーナリング時の操舵性を向上させることができる。また、乗員の腕の付け根の下の部位は、肩や上腕とは異なり操舵時には動かない部位であるため、この部位を左右から挟んで支持することで、乗員の姿勢の安定性を向上させることができる。
【０００８】
前記した乗物用シートは、前記シートバック内に設けられ、前記側部のうちの乗員の腕の付け根の下の部位に対面する部分を膨出させる乗員支持部材を備え、前記乗員支持部材は、変形または移動することで前記側部の膨出量を変更可能に構成することができる。
【０００９】
このような構成によれば、シートバックの左右の側部の膨出量を乗員の体型に合わせて調整可能となるので、乗員の体型によらずに、コーナリング時の操舵性や姿勢の安定性を向上させることができる。
【００１０】
前記した乗物用シートにおいて、前記乗員支持部材の乗員に向けて膨出する頂部は、前記シートバックフレームの左右のサイドフレームの左右方向内側に配置された構成とすることができる。
【００１１】
このような構成によれば、乗員支持部材の変形や移動の前後においても、頂部はサイドフレームの左右方向内側に位置することになるので、シートバック（乗員支持部材が配置された付近）の左右方向の大型化を抑制することができる。
【００１２】
前記した乗員支持部材を備える乗物用シートにおいて、前記乗員支持部材は、板状であり、湾曲量を変更することで前記膨出量を変更可能に構成され、湾曲したときの乗員に向けて膨出する頂部が上下方向に沿って延びる構成とすることができる。
【００１３】
このような構成によれば、左右の側部の膨出部分の頂部が上下方向に延びる乗員の上体に沿うことになるので、膨出部分による乗員のホールド性を向上させることができる。これにより、乗員の姿勢の安定性をより向上させることができる。
【００１４】
前記した乗物用シートにおいて、前記乗員支持部材は、左右方向における外側端部が固定され、左右方向における内側端部が前記外側端部に対して近接または離間する方向に移動可能に支持された構成とすることができる。
【００１５】
このような構成によれば、内側端部を固定し、外側端部を移動可能に支持した構成と比較して、左右の側部の膨出量を相対的に大きくすることができるため、左右の側部の膨出部分の調整可能範囲を大きくすることができる。
【００１６】
また、前記した頂部が上下方向に沿って延びる乗員支持部材を備える乗物用シートにおいて、前記乗員支持部材は、左右方向に延びる板状の支持部と、前記支持部の乗員と対向する面とは反対側の面の左右方向における途中部分から延出する延出部とを有する二又状に形成され、前記支持部の左右方向における外側端部が固定され、前記延出部の端部が前記外側端部に対して近接または離間する方向に移動可能に支持され、前記支持部の左右方向における内側端部が自由端となっている構成とすることもできる。
【００１７】
このような構成によれば、支持部の内側端部が外側端部に対して近接または離間する方向に移動可能に支持された構成と比較して、支持部の湾曲具合を比較的緩やかにすることができる。これにより、乗員に対する乗員支持部材（左右の側部の膨出部分）の当たり感を和らげることができるので、乗物用シートの座り心地を向上させることができる。
【００１８】
前記した乗員支持部材の外側端部が固定された乗物用シートにおいて、前記シートバックフレームは、左右方向において対向し、下部が上部よりも前方に向けて張り出す張出部を有する左右のサイドフレームと、前記サイドフレームの上部と前記張出部とをつなぐように取り付けられた連結ワイヤとを有し、前記乗員支持部材は、前記外側端部が前記連結ワイヤに固定された構成とすることができる。
【００１９】
このような構成によれば、乗員支持部材は、少なくとも外側端部がシートバックフレームに直接固定されることになるので、外側端部を固定するための部品が不要となる。これにより、部品点数の削減や乗員支持部材の取付構造の複雑化の抑制が可能となる。
【００２０】
前記した乗員支持部材を備える乗物用シートは、乗員を側方から保護するエアバッグ装置と、前記側部の膨出量を変更するために前記乗員支持部材を変形または移動させる駆動装置とを備え、前記エアバッグ装置が、前記シートバックフレームの左右のサイドフレームの一方に取り付けられ、前記駆動装置が、前記左右のサイドフレームの他方に取り付けられた構成とすることができる。
【００２１】
このような構成によれば、エアバッグ装置と駆動装置の干渉を避けることができる。また、エアバッグ装置と駆動装置を同一のサイドフレームに取り付ける場合と比較して、エアバッグ装置と駆動装置の配置の自由度を向上させることができる。
【００２２】
前記した乗員支持部材を備える乗物用シートにおいて、前記シートバックパッドには、前記中央部と前記左右の側部との間の上下方向において前記乗員支持部材と対応する位置に貫通したスロット孔が設けられている構成とすることができる。
【００２３】
このような構成によれば、左右の側部が乗員支持部材の変形または移動に応じて変形しやすくなるので、膨出量調整時の乗物用シートの動作を良好なものとすることができる。また、乗員支持部材を変形または移動させるための力を比較的小さくできるので、膨出量調整時の操作性を向上させたり、乗員支持部材を変形または移動させるための装置の小型化や低コスト化を図ったりすることなどが可能となる。
【００２４】
前記した乗員支持部材を備える乗物用シートにおいて、前記シートバックフレームは、左右のサイドフレームの間に設けられて乗員の上体を支持する支持ワイヤを備え、前記支持ワイヤは、上または下に向けて凸となるように屈曲する屈曲部を有し、前記乗員支持部材は、前記屈曲部のうち凹み状となる部分に対向して配置された構成とすることができる。
【００２５】
このような構成によれば、乗員からの荷重によって支持ワイヤが動いても、支持ワイヤと乗員支持部材の干渉を抑制することができる。
【発明の効果】
【００２６】
本発明によれば、シートバックの左右の側部のうち、乗員の腕の付け根の下の部位に対面する部分が、乗員の他の部位に対面する部分よりも乗員に向けて膨出しているので、コーナリング時の操舵性や姿勢の安定性を向上させることができる。
【００２７】
また、本発明によれば、変形または移動することで側部の膨出量を変更可能とする乗員支持部材を備えることで、乗員の体型によらずに、コーナリング時の操舵性や姿勢の安定性を向上させることができる。
【００２８】
また、本発明によれば、乗員支持部材の頂部をシートバックフレームの左右のサイドフレームの左右方向内側に配置することで、シートバックの左右方向の大型化を抑制することができる。
【００２９】
また、本発明によれば、乗員支持部材（膨出部分）の頂部を上下方向に沿って延びる構成とすることで、乗員のホールド性を向上させることができ、乗員の姿勢の安定性をより向上させることができる。
【００３０】
また、本発明によれば、乗員支持部材の外側端部を固定し、内側端部を移動可能とすることで、左右の側部の膨出部分の調整可能範囲を大きくすることができる。
【００３１】
また、本発明によれば、乗員支持部材を支持部と延出部を有する二又状に形成して、支持部の外側端部を固定し、延出部の端部を移動可能に支持し、支持部の内側端部を自由端とすることで、乗員に対する乗員支持部材の当たり感を和らげることができ、乗物用シートの座り心地を向上させることができる。
【００３２】
また、本発明によれば、乗員支持部材の外側端部をシートバックフレームの連結ワイヤに固定することで、外側端部を固定するための部品が不要となるため、部品点数を削減したり、乗員支持部材の取付構造の複雑化を抑制したりすることができる。
【００３３】
また、本発明によれば、エアバッグ装置を左右のサイドフレームの一方に取り付け、乗員支持部材を変形または移動させる駆動装置を左右のサイドフレームの他方に取り付けることで、エアバッグ装置と駆動装置の干渉を避けることができるとともに、エアバッグ装置と駆動装置の配置の自由度を向上させることができる。
【００３４】
また、本発明によれば、シートバックパッドの中央部と左右の側部との間の乗員支持部材と対応する位置に貫通したスロット孔を設けることで、膨出量調整時の乗物用シートの動作を良好なものとすることができる。また、膨出量調整時の操作性を向上させたり、乗員支持部材を変形または移動させるための装置の小型化や低コスト化を図ったりすることなどができる。
【００３５】
また、本発明によれば、乗員支持部材を支持ワイヤの屈曲部のうち凹み状となる部分に対向して配置することで、支持ワイヤが動いたときの支持ワイヤと乗員支持部材との干渉を抑制することができる。
【図面の簡単な説明】
【００３６】
【図１】第１実施形態に係る乗物用シートとしての車両用シートの斜視図である。
【図２】車両用シートに内蔵されるシートフレームの斜視図である。
【図３】シートフレームを構成するシートバックフレームの正面図である。
【図４】固定プレートとその周辺および可動プレートの斜視図である。
【図５】図４のＸ−Ｘ断面図であり、膨出部が形成される前の図（ａ）と、膨出部が形成された後の図（ｂ）である。
【図６】シートバックフレームを覆うシートバックパッドの正面図である。
【図７】乗員が着座した車両用シートの側面図である。
【図８】第２実施形態に係る車両用シートの可動プレートとその周辺の斜視図である。
【図９】図８のＹ−Ｙ断面図であり、膨出部が形成される前の図（ａ）と、膨出部が形成された後の図（ｂ）である。
【図１０】第３実施形態に係る車両用シートの可動プレートとその周辺の構成を示す図であり、膨出部が形成される前の図（ａ）と、膨出部が形成された後の図（ｂ）である。
【図１１】第３実施形態の変形例に係る車両用シートの可動プレートとその周辺の構成を示す図であり、膨出部が形成される前の図（ａ）と、膨出部が形成された後の図（ｂ）である。
【発明を実施するための形態】
【００３７】
［第１実施形態］
次に、本発明の第１実施形態について、適宜図面を参照しながら詳細に説明する。
図１に示すように、本実施形態に係る乗物用シートは、自動車の運転席に使用される車両用シートＳとして構成され、シートクッションＳ１と、シートバックＳ２と、ヘッドレストＳ３とを主に備えている。そして、詳細については後述するが、この車両用シートＳのシートバックＳ２は、左右の側部７２のうち、乗員の腕の付け根の下の部位に対面する部分に、乗員の他の部位（例えば、腰部など）に対面する部分よりも乗員に向けて膨出する膨出部７３を有している。これにより、車両用シートＳに着座した乗員は、腕の付け根の下の部位が左右の膨出部７３によって左右から挟まれた状態で支持されることとなる。
【００３８】
シートクッションＳ１およびシートバックＳ２には、図２に示すようなシートフレームＦが内蔵されている。シートフレームＦは、シートクッションＳ１のフレームを構成するシートクッションフレームＦ１と、シートバックＳ２のフレームを構成するシートバックフレームＦ２とから主に構成されている。シートクッションＳ１は、シートクッションフレームＦ１に、ウレタンフォームなどのクッション材からなるシートクッションパッドと、合成皮革や布地などからなる表皮材を被せることで構成され、シートバックＳ２は、シートバックフレームＦ２に、クッション材からなるシートバックパッド７０（図６参照）と、表皮材を被せることで構成されている。
【００３９】
シートクッションフレームＦ１は、自動車のフロアにスライドレールＳＬを介して設置されている。これにより、車両用シートＳは、前後位置を調整可能となっている。また、シートバックフレームＦ２は、その下部がシートクッションフレームＦ１の後部にリクライニング機構ＲＬを介して回動自在に連結されている。これにより、シートバックＳ２は、シートクッションＳ１に対し前後に傾動可能となっている。
なお、本明細書において、前後、左右および上下は、リクライニング機構ＲＬによってシートバックＳ２が倒されていない状態の車両用シートＳに着座した乗員を基準とする。
【００４０】
シートバックフレームＦ２は、上部フレーム１０と、左右のサイドフレーム２０と、下部フレーム３０とを主に有して構成され、上部フレーム１０、左右のサイドフレーム２０および下部フレーム３０が溶接などによって一体に結合された枠状に形成されている。そして、この枠状のシートバックフレームＦ２の内側には、乗員の上体を後退移動可能に支持する受圧部材４０が配置され、左右のサイドフレーム２０には、それぞれ、乗員支持部材としての可動プレート５０が配設されている。
【００４１】
上部フレーム１０は、略Ｕ形状に屈曲するパイプ材で構成されており、左右方向に延びる横パイプ部１１の前側には、ヘッドレストＳ３を取り付けるための左右一対のサポートブラケット１２が溶接によって固定されている。また、上部フレーム１０の上下方向に延びる左右の縦パイプ部１３は、それぞれ、その下部に結合される左右のサイドフレーム本体部２１と一体となって左右のサイドフレーム２０を構成している。
【００４２】
左右のサイドフレーム本体部２１は、金属板をプレス加工するなどして断面視略Ｕ形状に形成され、左右方向に対向して配置されている。サイドフレーム本体部２１は、その上部において縦パイプ部１３を抱持した状態で縦パイプ部１３と結合されており、その下部が上部よりも前方に向けて張り出す張出部２２を有する形状に形成されている。
本実施形態において、右のサイドフレーム２０には、乗員を側方から支持するエアバッグ装置ＡＢが取り付けられており、左のサイドフレーム２０には、後述する駆動装置としてのアクチュエータＡＣが取り付けられている。
【００４３】
受圧部材４０は、樹脂などからなる板状の部材であり、図３に示すように、左右のサイドフレーム２０の間に設けられた支持ワイヤとしての上部支持ワイヤＷ１および下部支持ワイヤＷ２を介して、左右のサイドフレーム２０に後退移動可能に連結されている。より詳細に、上部支持ワイヤＷ１は、受圧部材４０の背面側上部に形成された係止部（図示省略）に係止され、左右両端が上方に向けて凸となるように屈曲した後、それぞれの端部が縦パイプ部１３に固定された支持舌片１４に係止されることで、受圧部材４０の上部を左右のサイドフレーム２０に連結している。また、下部支持ワイヤＷ２は、受圧部材４０の背面側下部に形成された係止部（図示省略）に係止され、左右の端部がサイドフレーム本体部２１の内側面に固定された後方に揺動可能なリンク部材２３に係止されることで、受圧部材４０を左右のサイドフレーム２０に連結している。
【００４４】
このような受圧部材４０は、通常時には、上部支持ワイヤＷ１および下部支持ワイヤＷ２によって後から支持されることで、シートバックＳ２にもたれた乗員の上体を支持する。そして、自車両の後部に他車両が追突したり、後退する自車両の後部が他車両や構造物に衝突したりして乗員の上体からシートバックＳ２に後退移動荷重が作用したときに、上部支持ワイヤＷ１の左右両端の屈曲部分が撓んだり、リンク部材２３の揺動によって下部支持ワイヤＷ２の左右の端部が後方へ移動したりすることで、左右のサイドフレーム２０に対して後退移動する。これにより、乗員の上体がシートバックに沈み込むことになるので、乗員に対する追突時などの荷重の影響を緩和することができるようになっている。なお、リンク部材２３は、引張コイルばね（符号省略）を用いた公知の機構により、所定値以上の後退移動荷重が作用した場合に後方へ揺動するように構成されている。
【００４５】
可動プレート５０は、乗員に向けて膨出する膨出部７３（図１参照）の形状を保つための部材であり、図４に示すように、平板状の本体部５１と、二点鎖線で示す組付状態においてサイドフレーム２０と対向する側の面に形成されたフック部５２、突条部５３および押圧部５４とを主に有して構成されている。この可動プレート５０は、樹脂などから形成されており、平板状の本体部５１が弾性的に撓み変形可能となっている。また、本実施形態において、可動プレート５０は、二点鎖線で示したように、固定プレート６０を介してサイドフレーム２０に組み付けられている。
【００４６】
固定プレート６０は、樹脂などから形成され、サイドフレーム２０を抱持するようにしてサイドフレーム２０に固定されている。より詳細に、固定プレート６０は、図５（ａ）に示すように、断面視において、縦パイプ部１３の周面に沿うように湾曲して延びる湾曲部６１と、湾曲部６１の前端からサイドフレーム２０に向けて前後に延びる延出部６２と、延出部６２の後端から左右方向外側に向けて延びる前側固定部６３と、湾曲部６１の後端から左右方向外側に向けて延びる後側固定部６４とを有する形状に形成されており、前側固定部６３がネジ（符号省略）によりサイドフレーム２０の前面に固定され、後側固定部６４がネジによりサイドフレーム２０の後面に固定されることで、サイドフレーム２０に固定されている。さらに述べると、この固定プレート６０は、上下方向において、乗員の腕の付け根の下の部位と対応する高さ位置に配置、固定されている。湾曲部６１には、サイドフレーム２０に向けて凹む形状の凹部６１Ａが形成されている。また、延出部６２の上下方向中央付近には、左右方向外側に向けて突出するフック係合部６２Ａが形成されており、このフック係合部６２Ａには、フック部５２の先端部が嵌合する嵌合溝（符号省略）が形成されている。
【００４７】
可動プレート５０のフック部５２は、本体部５１の左右方向外側に位置する端部（外側端部５１Ａ）側からサイドフレーム２０に向けて延び、先端が屈曲して前方を向く鉤状に形成されている。フック部５２の先端部は拡幅して略円筒状をなしており、フック係合部６２Ａの嵌合溝に嵌合することで、可動プレート５０が固定プレート６０（サイドフレーム２０）に組み付けられている。これにより、可動プレート５０は、乗員の腕の付け根の下の部位と対応する高さ位置に配設されることとなる。また、図４に示すように、可動プレート５０（本体部５１）は、二点鎖線で示す組付状態において、上部支持ワイヤＷ１の上に向けて凸となるように屈曲する屈曲部Ｗ１１のうち、凹み状となる部分に対向して屈曲部Ｗ１１の下に配置されている。
【００４８】
突条部５３は、本体部５１の左右方向内側に位置する端部（内側端部５１Ｂ）側から突出するリブ状の部位であり、上下方向に所定の間隔をあけて２つ設けられている。この一対の突条部５３は、組付状態（図５参照）において、湾曲部６１の凹部６１Ａに入り込み、端部が凹部６１Ａの底面に当接することで、可動プレート５０と固定プレート６０との間隔を保っている。また、後述するように、内側端部５１Ｂが外側端部５１Ａに対して近接または離間する方向に移動する際（本体部５１が変形する際）には、突条部５３は、その端部が凹部６１Ａの底面に摺接し、さらに、側面が凹部６１Ａの上または下の壁に摺接することで、凹部６１Ａとともに、内側端部５１Ｂの移動をガイドする。
【００４９】
押圧部５４は、一対の突条部５３の間から突出する板状の部位であり、ケーブル５５のインナーケーブル５５Ａを通すための貫通穴５４Ａが形成されている。
ケーブル５５は、インナーケーブル５５Ａと、インナーケーブル５５Ａが摺動可能に挿通される管状のアウターケーブル５５Ｂとを有して構成されており、インナーケーブル５５Ａが貫通穴５４Ａに挿通され、その一端部がフック部５２に形成された貫通穴５２Ａに固定されることで、可動プレート５０に取り付けられている。アウターケーブル５５Ｂは、貫通穴５４Ａよりも大径に形成されており、図５に示す組付状態において、一端部５５Ｃが押圧部５４の後面に当接している。
【００５０】
図２に示すように、可動プレート５０から延び出すケーブル５５は、シートフレームＦの後方を通って左のサイドフレーム２０の左右方向外側に引き出され、他端部が可動プレート５０を変形させるためのアクチュエータＡＣに接続されている。より詳細に、インナーケーブル５５Ａは、他端部がアクチュエータＡＣ内に設けられたリール（図示省略）に巻き付けられており、リールの回転に応じて、巻き取られたり、送り出されたりする。ケーブル５５は、アクチュエータＡＣが作動してインナーケーブル５５Ａの他端部が巻き取られることで、図５に示すインナーケーブル５５Ａの一端部がアウターケーブル５５Ｂ内に引き込まれるようになっている。
【００５１】
図５（ａ），（ｂ）に示すように、可動プレート５０（本体部５１）は、乗員に向けて膨出する頂部５１Ｃが、左右のサイドフレーム２０の左右方向内側に配置されている。また、可動プレート５０は、自然状態で平板状の本体部５１が弓なりに撓まされて設置されており、頂部５１Ｃは、上下方向に沿って延びている。
なお、以上では、左の可動プレート５０と固定プレート６０の構成について主に説明したが、右の可動プレート５０は、左の可動プレート５０と左右対称に形成、配設され、右の固定プレート６０は、左の固定プレート６０と左右対称に形成、配設されている。
【００５２】
左右の可動プレート５０やこれらが組み付けられたシートバックフレームＦ２などは、シートバックパッド７０および表皮材によって覆われている。これにより、可動プレート５０の内側端部５１Ｂは、シートバックパッド７０や表皮材によって押さえられるので、がたつかないようになっている。
【００５３】
図６に示すように、シートバックフレームＦ２などを覆うシートバックパッド７０は、乗員の上体背部に対面する中央部７１と、中央部７１の左右両側に設けられて中央部７１よりも前に張り出した左右の側部７２とを有している。このシートバックパッド７０には、前から見て、中央部７１や、中央部７１と左右の側部７２との間の境界部７５に、表皮材を吊り込むための吊り込溝７６Ａが複数設けられている。また、シートバックパッド７０には、境界部７５の上下方向において可動プレート５０と対応する高さ位置に、上下方向に細長い貫通したスロット孔７７が設けられている。
【００５４】
なお、念のために述べておくと、図１や図２に示すように、本実施形態の車両用シートＳには、着座する乗員の肩や腕を支持するための部材（例えば、従来技術のサイドサポート部など）は何ら設けられていない。これにより、乗員は、肩や腕を自由に動かすことができるようになっている。
【００５５】
次に、以上のように構成された車両用シートＳの作用効果について説明する。
可動プレート５０が図５（ａ）に示す状態にあるときに、乗員がコントローラ（図示省略）を操作することでアクチュエータＡＣが作動し、インナーケーブル５５Ａの他端部が巻き取られると、インナーケーブル５５Ａの一端部がアウターケーブル５５Ｂ内に引き込まれることで、アウターケーブル５５Ｂの一端部５５Ｃが押圧部５４を押す。そうすると、図５（ｂ）に示すように、押圧部５４（内側端部５１Ｂ）が外側端部５１Ａに近接するように前斜め左方向に向けて移動するため、本体部５１の湾曲量が大きくなり、シートバックパッド７０の左右の側部７２のうちの乗員の腕の付け根の下の部位に対面する部分を乗員に向けて膨出させる。これにより、シートバックパッド７０に膨出部７３が形成され、図７に示すように、乗員Ｐの腕の付け根の下の部位を左右から挟んで支持する。
【００５６】
車両用シートＳでは、乗員Ｐは、腕の付け根の下の部位が膨出部７３によって左右から挟まれた状態で支持されることで、上体が左右にずれるのが抑制されつつも肩や腕が自由になっている。そのため、コーナリング時には、慣性により腕の付け根の下の部位が左右一方の膨出部７３に押しつけられるが、肩や腕は自由なので、ステアリングを良好に操作することができる。また、乗員Ｐの腕の付け根の下の部位は、肩や腕とは異なり、動かない部位であるため、この部位を左右から挟んで支持することで、乗員Ｐの姿勢の安定性を向上させることができる。
【００５７】
本実施形態においては、本体部５１が湾曲したときの乗員Ｐに向けて膨出する頂部５１Ｃが上下方向に沿って延びているため、膨出部７３の頂部も上下方向に延びることとなる。これにより、膨出部７３の頂部が乗員Ｐの上下に延びる上体に沿うことになるので、膨出部７３による乗員Ｐのホールド性を向上させることができる。これにより、乗員Ｐの姿勢の安定性をより向上させることができるようになっている。
【００５８】
可動プレート５０が図５（ｂ）に示す状態にあるときに、乗員がコントローラを操作することでアクチュエータＡＣが作動し、インナーケーブル５５Ａの他端部が送り出されると、図５（ａ）に示すように、本体部５１が元の形状に戻ろうとする力により、インナーケーブル５５Ａの一端部がアウターケーブル５５Ｂから引き出されながら、内側端部５１Ｂが外側端部５１Ａから離間するように後斜め右方向に向けて移動する。これにより、本体部５１の湾曲量が小さくなり、左右の側部７２のうちの乗員の腕の付け根の下の部位に対面する部分の膨出量が小さくなる。本実施形態においては、図５（ａ）に示す本体部５１が完全に元の形状に戻った状態では、膨出部７３は形成されないようになっている。
【００５９】
車両用シートＳでは、コントローラの操作によってアクチュエータＡＣによるインナーケーブル５５Ａの巻き取り量を調整することで、可動プレート５０（本体部５１）の湾曲量を、図５（ａ）に示す状態と図５（ｂ）に示す状態との間で変更することができるので、膨出部７３の有無の切り替えや、膨出部７３の膨出量の変更が可能となっている。これにより、左右の側部７２の膨出量を乗員の体型に合わせて調整可能となるので、乗員の体型によらずに、コーナリング時の操舵性や姿勢の安定性を向上させることができる。また、本体部５１の形状を図５（ａ）に示す状態とすることで膨出部７３が形成されないので、膨出部７３による支持を望まない乗員のニーズにも応えることができる。
【００６０】
本実施形態において、可動プレート５０（本体部５１）は、内側端部５１Ｂが外側端部５１Ａに対して近接または離間する方向に移動可能に支持されているので、左右の側部７２の膨出量を相対的に大きくすることができる。補足すると、本実施形態とは逆に、外側端部５１Ａが内側端部５１Ｂに対して近接または離間する方向に移動可能な構成では、本体部５１の湾曲が大きくなることで、頂部５１Ｃは、中央部７１に近づき、場合によっては中央部７１の前面よりも後に移動してしまうので、膨出部７３を形成することができなくなる。すなわち、外側端部５１Ａが移動する構成では、本体部５１の変形可能な範囲のすべてを側部７２を膨出させるのに利用することができないため、側部７２の膨出量が相対的に小さくなる。一方、本実施形態では、図５（ａ）に示す状態から図５（ｂ）に示す状態まで、本体部５１の変形可能な範囲のすべてを側部７２を膨出させるのに利用することができるので、膨出部７３の調整可能範囲を大きくすることができる。
【００６１】
図６に示したように、シートバックパッド７０は、境界部７５の可動プレート５０と対応する位置にスロット孔７７が設けられているので、左右の側部７２が可動プレート５０の変形に応じて変形しやすくなっている。これにより、膨出量調整時の車両用シートＳの動作を良好なものとすることができる。また、可動プレート５０を変形させるための力を比較的小さくできるので、アクチュエータＡＣの小型化や低コスト化を図ることができる。
【００６２】
また、図５に示したように、可動プレート５０（本体部５１）は、乗員に向けて膨出する頂部５１Ｃが、変形の前後において左右のサイドフレーム２０の内側に配置されているので、頂部５１Ｃは、左右のサイドフレーム２０から外側に飛び出ることがない。これにより、シートバックＳ２の左右方向の大型化を抑制することができる。
【００６３】
また、図２に示したように、エアバッグ装置ＡＢが右のサイドフレーム２０に取り付けられ、アクチュエータＡＣが左のサイドフレーム２０に取り付けられているので、エアバッグ装置ＡＢとアクチュエータＡＣの干渉を避けることができる。また、エアバッグ装置ＡＢとアクチュエータＡＣを同一のサイドフレーム２０に取り付ける場合と比較して、これらの配置の自由度を向上させることができる。なお、本実施形態においては、エアバッグ装置ＡＢやアクチュエータＡＣがサイドフレーム２０の外側に取り付けられ、可動プレート５０がサイドフレーム２０の前側から内側にわたって配置されているので、可動プレート５０と、エアバッグ装置ＡＢやアクチュエータＡＣとの干渉を避けることができる。
【００６４】
さらに、図４に示したように、可動プレート５０は、上部支持ワイヤＷ１の屈曲部Ｗ１１の凹み状となる部分に対向して配置（ここでは、上に凸に屈曲することで形成された空間に配置）されているので、後退移動荷重が作用して上部支持ワイヤＷ１が動いても、上部支持ワイヤＷ１との干渉を抑制することができる。なお、図３に示すように、可動プレート５０は、受圧部材４０の左右両側に配置されており、また、後側の表皮材が引っ掛けられるロッド状のクロスメンバ１５（表皮取付部材）の下に配置されているので、受圧部材４０やクロスメンバ１５との干渉も抑制することができる。
【００６５】
［第２実施形態］
次に、本発明の第２実施形態について説明する。なお、以下の説明では、先に説明した実施形態と同様の構成要素については、同一符号を付して、その説明を省略することとする。
【００６６】
図８に示すように、本実施形態において、左右のサイドフレーム２０（一方のみ図示）は、その上部である縦パイプ部１３と、サイドフレーム本体部２１の張出部２２とをつなぐように溶接などにより取り付けられたロッド状の連結ワイヤ２５を有して構成されている。そして、本実施形態において、図示しないシートバッグパッドの左右の側部は、主に、張出部２２と連結ワイヤ２５とによって前に張り出す形状が保たれている。各サイドフレーム２０には、乗員の腕の付け根の下の部位と対応する高さ位置に、それぞれ、可動プレート１５０と一対のガイドワイヤ１６０が配設されている
【００６７】
一対のガイドワイヤ１６０は、金属などから形成されたロッド状の部材であり、上下方向に所定の間隔をあけてサイドフレーム２０に固定されている。より詳細に、ガイドワイヤ１６０は、図９（ａ）に示すように、連結ワイヤ２５から左右方向内側の斜め後方に向けて延びるガイド部１６１と、ガイド部１６１の後端から屈曲して左右方向外側に向けて延びる後側固定部１６２とを有し、後側固定部１６２が溶接などによりサイドフレーム本体部２１の後面に固定され、ガイド部１６１の前端が連結ワイヤ２５に巻き付けられることで、サイドフレーム２０に固定されている。
【００６８】
可動プレート１５０は、樹脂などから形成された板状の部材であり、弾性的に撓み変形可能となっている。図８に示すように、この可動プレート１５０は、外側端部５１Ａが、一対のガイドワイヤの１６０の間で、結束バンド１５２により連結ワイヤ２５に固定されている。また、可動プレート１５０は、内側端部５１Ｂに形成された一対の貫通穴１５３がガイド部１６１に挿通されている。このような構成により、可動プレート１５０は、内側端部５１Ｂがガイド部１６１に沿って移動することで、固定された外側端部５１Ａに対して近接または離間する方向に移動可能に支持されている。図９（ａ）に示すように、外側端部５１Ａと内側端部５１Ｂの上下方向中央付近には、ケーブル５５のインナーケーブル５５Ａが挿通される貫通穴（図示省略）が設けられており、インナーケーブル５５Ａの一端部は、外側端部５１Ａに固定されている。また、アウターケーブル５５Ｂの一端部５５Ｃは、内側端部５１Ｂの左右方向内側の面に当接している。
【００６９】
次に、可動プレート１５０の動作について説明する。
可動プレート１５０が図９（ａ）に示す状態にあるときに、乗員がコントローラを操作してインナーケーブル５５Ａの一端部がアウターケーブル５５Ｂ内に引き込まれると、アウターケーブル５５Ｂの一端部５５Ｃが内側端部５１Ｂを外側端部５１Ａに向けて押すことで、図９（ｂ）に示すように、内側端部５１Ｂがガイド部１６１に沿って外側端部５１Ａに近接する方向に移動する。これにより、可動プレート１５０の湾曲量が大きくなるので、左右の側部７２のうちの乗員の腕の付け根の下の部位に対面する部分を乗員に向けて膨出させ、膨出部７３が形成される。
【００７０】
一方、可動プレート１５０が図９（ｂ）に示す状態にあるときに、乗員がコントローラを操作することでインナーケーブル５５Ａが弛むと、図９（ａ）に示すように、可動プレート５０が元の形状に戻ろうとする力により、内側端部５１Ｂがガイド部１６１に沿って外側端部５１Ａから離間する方向に移動する。これにより、可動プレート１５０の湾曲量が小さくなり、左右の側部７２のうちの乗員の腕の付け根の下の部位に対面する部分の膨出量が小さくなる。
【００７１】
以上説明した本実施形態においても、前記した第１実施形態と略同様の効果を得ることができる。
なお、本実施形態では、可動プレート１５０の外側端部５１Ａが、連結ワイヤ２５、すなわちサイドフレーム２０（シートバックフレームＦ２）に直接固定されているので、外側端部５１Ａを固定するためのブラケットなどの部品が不要となる。これにより、部品点数の削減や、可動プレート１５０の取付構造の複雑化の抑制が可能となっている。
【００７２】
［第３実施形態］
次に、本発明の第３実施形態について説明する。
図１０（ａ），（ｂ）に示すように、本実施形態の可動プレート２５０は、平面視において二又形状をなすように形成されている。より詳細に、可動プレート２５０は、左右方向（前斜め左方から後斜め右方）に延びる板状の支持部２５１と、支持部２５１の左右方向外側の面（乗員と対向する面とは反対側の面）の左右方向における途中部分から後方に向けて延出する延出部２５２とを有する二又状に形成されている。
【００７３】
支持部２５１の左右方向における外側端部５１Ａは、連結ワイヤ２５に固定されている。また、延出部２５２の端部２５３には、一対の貫通穴（図示省略）が形成され、この貫通穴が一対のガイド部１６１（一方のみ図示）に挿通されている。これにより、端部２５３は、ガイド部１６１に沿って移動することで、外側端部５１Ａに対して近接または離間する方向に移動可能に支持されている。そして、本実施形態において、支持部２５１の左右方向における内側端部５１Ｂは、固定されていない自由端となっている。
【００７４】
外側端部５１Ａと端部２５３の間には、前記した第２実施形態と略同様にして、図示しないインナーケーブルが張られており、端部２５３の左右方向内側の面には、インナーケーブルが挿通される管状のアウターケーブルの一端部が当接している。
【００７５】
可動プレート２５０が図１０（ａ）に示す状態にあるときに、乗員がコントローラを操作してインナーケーブルの一端部がアウターケーブル内に引き込まれると、アウターケーブルの一端部が端部２５３を外側端部５１Ａに向けて押すことで、図１０（ｂ）に示すように、端部２５３がガイド部１６１に沿って外側端部５１Ａに近接する方向に移動する。これにより、支持部２５１の中央部付近が乗員側に押し出され、支持部２５１の湾曲量が大きくなるため、左右の側部７２のうちの乗員の腕の付け根の下の部位に対面する部分に膨出部７３が形成される。
【００７６】
一方、可動プレート２５０が図１０（ｂ）に示す状態にあるときに、乗員がコントローラを操作することでインナーケーブルが弛むと、図１０（ａ）に示すように、支持部２５１が元の形状に戻ろうとする力により、端部２５３がガイド部１６１に沿って外側端部５１Ａから離間する方向に移動する。これにより、支持部２５１の湾曲量が小さくなり、膨出部７３の膨出量が小さくなる。
【００７７】
以上説明した本実施形態においても、前記した第１実施形態と略同様の効果を得ることができる。
また、本実施形態では、内側端部５１Ｂが自由端となっているので、前記した第２実施形態のように、内側端部５１Ｂが外側端部５１Ａに対して近接または離間する方向に移動可能に支持された構成と比較して、支持部２５１の湾曲具合を比較的緩やかにすることができる。これにより、乗員に対する可動プレート２５０の当たり感を和らげることができるので、シートの座り心地を向上させることができる。
【００７８】
なお、上記した形態では、可動プレート２５０は、１つの部品として二又形状に形成されていたが、これに限定されず、例えば、２部品から構成され、サイドフレーム２０に組み付けられた状態で二又形状をなすように形成されていてもよい。具体的には、図１１（ａ）に示すように、可動プレート２５０’は、２枚の板状の部材、すなわち、支持部材２５１’と可動部材２５２’とから構成されており、支持部材２５１’と可動部材２５２’の外側端部５１Ａがそれぞれ連結ワイヤ２５に固定されている。
【００７９】
そして、支持部材２５１’の左右方向外側の面の途中部分から後方に向けて分岐するように延びる可動部材２５２’の端部２５３（内側端部）は、前記した第２実施形態の可動プレート１５０の内側端部５１Ｂと同様に支持されており、ガイド部１６１に沿って移動することで、外側端部５１Ａに対して近接または離間する方向に移動可能となっている。また、可動部材２５２’には、前記した第２実施形態の可動プレート１５０と同様にして、図示しないケーブルが取り付けられている。
支持部材２５１’の内側端部５１Ｂは、自由端となっている。
【００８０】
図１１（ｂ）に示すように、乗員がコントローラを操作することで、可動部材２５２’の湾曲量が大きくなると、可動部材２５２’の頂部に押されることで支持部材２５１’の湾曲量が大きくなる。これにより、左右の側部７２のうちの乗員の腕の付け根の下の部位に対面する部分に膨出部７３が形成される。
【００８１】
以上、本発明の実施形態について説明したが、本発明は前記実施形態に限定されるものではない。具体的な構成については、本発明の趣旨を逸脱しない範囲で適宜変更が可能である。
【００８２】
前記実施形態では、乗員支持部材としての可動プレート５０などは、内側端部５１Ｂが外側端部５１Ａに対して近接または離間する方向に移動可能に支持されていたが、本発明はこれに限定されるものではない。例えば、板状の乗員支持部材は、外側端部が内側端部に対して近接または離間する方向に移動可能に支持されていてもよい。また、前記実施形態では、乗員支持部材として、可動プレート５０，１５０など、板状の部材を例示したが、本発明はこれに限定されず、例えば、乗員支持部材は、略半円柱状の部材などであってもよい。
【００８３】
前記実施形態では、車両用シートＳは、乗員支持部材としての可動プレート５０などが変形することで側部７２の膨出量を変更可能に構成されていたが、本発明はこれに限定されるものではない。例えば、図５（ｂ）を参考にして説明すると、車両用シートＳは、平板状の可動プレート５０が乗員に対して近接または離間する方向に移動可能（進退自在）に支持され、その可動プレート５０がモータなどの駆動装置によって移動するように構成されていてもよい。また、前記実施形態では、車両用シートＳは、側部７２の膨出量を変更可能に構成されていたが、本発明はこれに限定されず、側部の膨出部分はその膨出量が変更できない構成であってもよい。具体的には、例えば、側部に膨出部分を形成する、平板状の乗員支持部材を弓なりに撓ませながら外側端部と内側端部の両方をサイドフレームなどに固定することで、乗員支持部材の形状を固定し、これにより、側部の膨出部分を変更できない構成としてもよい。また、乗員支持部材を備えない構成において、側部（シートバックパッド）自身が、乗員の腕の付け根の下の部位に対面する部分に膨出部を有していてもよい。
【００８４】
前記実施形態では、エアバッグ装置ＡＢが右のサイドフレーム２０に取り付けられ、アクチュエータＡＣ（駆動装置）が左のサイドフレーム２０に取り付けられていたが、本発明はこれに限定されず、例えば、前記実施形態とは逆の配置であってもよい。また、エアバッグ装置と駆動装置は、同一のサイドフレームに取り付けられていてもよい。また、駆動装置は、シートクッション内に設けられていてもよい。
【００８５】
前記実施形態で示したスロット孔７７の形状は一例であり、本発明は前記実施形態の構成に限定されるものではない。例えば、図６を参考にして説明すると、スロット孔は、可動プレート５０の上と下に左右に延びる部分を有する略Ｕ形状に形成されていてもよい。また、スロット孔は、表皮材を吊り込むための穴を兼ねていてもよい。なお、本発明においては、乗員支持部材の変形や移動に応じて側部が良好に変形できるのであれば、シートバックパッドにスロット孔が設けられていなくてもよい。
【００８６】
前記実施形態では、可動プレート５０（乗員支持部材）は、上部支持ワイヤＷ１（支持ワイヤ）の上に向けて凸となるように屈曲する屈曲部Ｗ１１のうち、凹み状となる部分に対向して屈曲部Ｗ１１の下に配置されていたが、本発明はこれに限定されるものではない。例えば、乗員支持部材は、支持ワイヤの下に向けて凸となるように屈曲する屈曲部のうち、凹み状となる部分に対向して屈曲部の上に配置されていてもよい。また、前記実施形態では、支持ワイヤとして、受圧部材４０を左右のサイドフレーム２０に連結する上部支持ワイヤＷ１と下部支持ワイヤＷ２を例示したが、本発明はこれに限定されるものではない。例えば、支持ワイヤは、受圧部材を備えない構成において、左右のサイドフレームの間に張設されるシートスプリングなどであってもよい。
【００８７】
前記実施形態では、乗物用シートとして、自動車で使用される車両用シートＳを例示したが、本発明はこれに限定されず、その他の乗物用シート、例えば、船舶や航空機などで使用されるシートに適用することもできる。
【符号の説明】
【００８８】
１３    縦パイプ部
２０    サイドフレーム
２２    張出部
２５    連結ワイヤ
５０    可動プレート
５１Ａ  外側端部
５１Ｂ  内側端部
５１Ｃ  頂部
７０    シートバックパッド
７１    中央部
７２    側部
７７    スロット孔
１５０  可動プレート
２５０  可動プレート
２５１  支持部
２５２  延出部
２５３  端部
ＡＢ    エアバッグ装置
ＡＣ    アクチュエータ
Ｆ２    シートバックフレーム
Ｓ      車両用シート
Ｓ１    シートクッション
Ｓ２    シートバック
Ｗ１    上部支持ワイヤ
Ｗ２    下部支持ワイヤ
Ｗ１１  屈曲部
【図１】
0005829121.tif 000002
【図２】
0005829121.tif 000003
【図３】
0005829121.tif 000004
【図４】
0005829121.tif 000005
【図５】
0005829121.tif 000006
【図６】
0005829121.tif 000007
【図７】
0005829121.tif 000008
【図８】
0005829121.tif 000009
【図９】
0005829121.tif 000010
【図１０】
0005829121.tif 000011
【図１１】
0005829121.tif 000012